(57)【要約】  電子機器（１０）は、電源（１１）と、少なくとも電源（１１）の一方の極に接続され、電源（１１）から負荷（１３）に供給される電力を遮断する第１のスイッチ（１２）と、この第１のスイッチ（１２）よりも負荷（１３）側に配置され、電源（１１）から負荷（１３）に供給される電力を遮断する第２のスイッチ（１４）と、この第２のスイッチ（１４）の電気接点のうち第１のスイッチ（１２）側の一方端に接続された第１の電力線（Ｌ１１）と、第２のスイッチ（１４）の電気接点のうち他方端に接続された第２の電力線（Ｌ１２）と、電源（１１）の他方の極に接続された第３の電力線（Ｌ１３）と、第１のスイッチ（１２）及び第２のスイッチ（１４）が電力を遮断した状態において、第２のスイッチ（１４）の電気接点が帯電しないように、第１の電力線（Ｌ１１）と第２の電力線（Ｌ１２）との間に電気接点に並列に接続されているか、又は、第１の電力線（Ｌ１１）と第３の電力線（Ｌ１３）との間に接続されている電気素子（抵抗体１５）とを備える。
2020003596.tif 000002
【特許請求の範囲】
【請求項１】
電源と、
少なくとも前記電源の一方の極に接続され、前記電源から負荷に供給される電力を遮断する第１のスイッチと、
前記第１のスイッチよりも前記負荷側に配置され、前記電源から前記負荷に供給される電力を遮断する第２のスイッチと、
前記第２のスイッチの電気接点のうち前記第１のスイッチ側の一方端に接続された第１の電力線と、
前記第２のスイッチの前記電気接点のうち他方端に接続された第２の電力線と、
前記電源の他方の極に接続された第３の電力線と、
前記第１のスイッチ及び前記第２のスイッチが電力を遮断した状態において、前記第２のスイッチの前記電気接点が帯電しないように、前記第１の電力線と前記第２の電力線との間に前記電気接点に並列に接続されているか、又は、前記第１の電力線と前記第３の電力線との間に接続されている電気素子と
を備えることを特徴とする電子機器。
【請求項２】
前記電気素子は、抵抗体であり、
前記抵抗体は、消費電力が０．１Ｗ未満である
ことを特徴とする請求項１記載の電子機器。
【請求項３】
前記電気素子には、直流電流が流れ、
前記電気素子は、定電圧ダイオードである
ことを特徴とする請求項１記載の電子機器。
【請求項４】
前記電気素子は、避雷器である
ことを特徴とする請求項１記載の電子機器。
【請求項５】
互いに嵌め合わされる第１のケース部材及び第２のケース部材を有するケースと、を備え、
前記電気素子は、電気素子本体と、当該電気素子本体から突出し前記第１の電力線に接続される第１の端子と、前記電気素子本体から突出し前記第２の電力線又は前記第３の電力線に接続される第２の端子とを有し、
前記電気素子は、前記ケースに収容され、
前記第１の端子は、前記電気素子本体とは反対側の先端に第１の先細り部を有し、
前記第２の端子は、前記電気素子本体とは反対側の先端に第２の先細り部を有し、
前記電気素子は、前記第１のケース部材と前記第２のケース部材とが互いに嵌め合わされた状態で、前記第１の先細り部が前記第１の電力線の被覆部を貫通するとともに前記第２の先細り部が前記第２の電力線又は前記第３の電力線の被覆部を貫通するように配置されている
ことを特徴とする請求項１記載の電子機器。
【請求項６】
前記第１のケース部材は、前記第１の電力線の前記被覆部を保持する第１の電力線保持部と、前記第２の電力線又は前記第３の電力線の前記被覆部を保持する第２の電力線保持部とを有し、
前記第２のケース部材は、前記電気素子本体を保持する電気素子本体保持部と、前記第１の端子を保持する第１の端子保持部と、前記第２の端子を保持する第２の端子保持部とを有する
ことを特徴とする請求項５記載の電子機器。
【発明の詳細な説明】
【技術分野】
【０００１】
本発明は、電気接点を備える電子機器に関する。
【背景技術】
【０００２】
従来、電気接点では、異物による接触障害の発生が稀にあり、この接触障害の発生に対する方法が検討されている。
例えば、電気接点の周囲の異物を電気接点以外の場所に付着固定する方法（例えば、特許文献１参照）、電気接点を構成する片側の接点を分割し、分割された一方の接点に異物が付着しても他方の接点が導通を確保することにより導通不良を少なくする方法（例えば、特許文献２参照）、互いに接触し合う接点を山型形状とし、山型部分を互いに交差するように接触させることにより導通不良を少なくする方法（例えば、特許文献３参照）、電磁リレーの導通が確認できない場合に繰り返し動作させて異物を焼き切る方法（例えば、特許文献４参照）、閉路状態にある電気接点と並列に接続した抵抗で判定を行う方法（例えば、特許文献５参照）などがある。
【先行技術文献】
【特許文献】
【０００３】
【特許文献１】特開平１０−２４７４３３号公報
【特許文献２】特開２０１８−６２０９号公報
【特許文献３】特開２００９−１１７１５０号公報
【特許文献４】特開２００８−７２８３９号公報
【特許文献５】特開平５−２３２１７６号公報
【発明の概要】
【発明が解決しようとする課題】
【０００４】
ところで、電気接点を含む回路部分を主電源から遮断することで通電を停止した際、電気接点が開路状態となると、電気接点が電気的に開放状態になる。そして、特に、電気接点の開路状態が長時間続く場合や高温下では、外部からの静電誘導によって電気接点が帯電し、異物が引き寄せられる。【０００５】
上述の従来の方法は、電気接点において対策を行うものであり、電気接点間に不導体の異物を挟み込む根本の原因を解決することができるものではなかった。【０００６】
本発明の目的は、電気接点における異物に起因する接触障害の発生を抑制することができる電子機器を提供することである。
【課題を解決するための手段】
【０００７】
１つの態様では、電子機器は、電源と、少なくとも前記電源の一方の極に接続され、前記電源から負荷に供給される電力を遮断する第１のスイッチと、前記第１のスイッチよりも前記負荷側に配置され、前記電源から前記負荷に供給される電力を遮断する第２のスイッチと、前記第２のスイッチの電気接点のうち前記第１のスイッチ側の一方端に接続された第１の電力線と、前記第２のスイッチの前記電気接点のうち他方端に接続された第２の電力線と、前記電源の他方の極に接続された第３の電力線と、前記第１のスイッチ及び前記第２のスイッチが電力を遮断した状態において、前記第２のスイッチの前記電気接点が帯電しないように、前記第１の電力線と前記第２の電力線との間に前記電気接点に並列に接続されているか、又は、前記第１の電力線と前記第３の電力線との間に接続されている電気素子とを備える。
【発明の効果】
【０００８】
本発明によれば、電気接点における異物に起因する接触障害の発生を抑制することができる。
【図面の簡単な説明】
【０００９】
【図１】第１実施例に係る電子機器を示す回路図である。
【図２】第２実施例に係る電子機器を示す回路図である。
【図３】第３実施例に係る電子機器を示す回路図である。
【図４】第４実施例に係る電子機器を示す回路図である。
【図５】第５実施例に係る電子機器を示す回路図である。
【図６】第６実施例に係る電子機器を示す回路図である。
【図７】第７実施例に係る電子機器を示す回路図である。
【図８】第８実施例に係る電子機器を示す回路図である。
【図９】実施の形態におけるケースを第１の電力線及び第２の電力線とともに示す斜視図である。
【図１０】実施の形態における第１のケース部材を第１の電力線及び第２の電力線とともに示す平面図である。
【図１１】実施の形態における第１のケース部材を示す右側面図である。
【図１２】実施の形態における第２のケース部材を電気素子とともに示す底面図である。
【図１３】実施の形態における第２のケース部材の内部構造を電気素子とともに示す右側面図である。
【図１４】実施の形態におけるケースの内部構造を第１の電力線、第２の電力線、及び電気素子とともに示す右側面図である。
【図１５】実施の形態における、ケース及び電気素子を示す分解斜視図である。
【図１６】実施の形態における第２のケース部材の内部構造を電気素子とともに示す斜視図である。
【図１７】実施の形態における、ケース及び電気素子を、第１の電力線及び第２の電力線とともに示す分解斜視図である。
【発明を実施するための形態】
【００１０】
以下、本発明の実施の形態に係る電子機器について、図面を参照しながら説明する。
図１は、第１実施例に係る電子機器を示す回路図である。
図１に示すように、電子機器１０は、電源１１と、第１のスイッチ１２と、負荷１３と、第２のスイッチ１４と、電気素子の一例である抵抗体１５とを備える。
【００１１】
第１のスイッチ１２は、例えば電源スイッチであり、少なくとも電源に接続され、電源１１から負荷１３に供給される電力を遮断する。換言すると、第１のスイッチ１２は、負荷１３、第２のスイッチ１４、及び抵抗体１５を有する制御用電気回路Ｃ１に電源１１から供給される電力を遮断する。
【００１２】
負荷１３は、例えばヒータ等の電気部品である。
第２のスイッチ１４は、第１のスイッチ１２よりも負荷１３側、例えば第１のスイッチ１２と負荷１３との間に配置され、電源１１から負荷１３に供給される電力を遮断する。第２のスイッチ１４としては、例えば、外部からの制御電圧で駆動する電気リレー、各種物理量の変化に応じて作動する温度スイッチなどの制御器、又は、手動による操作スイッチが挙げられるが、電源１１から負荷１３に供給される電力を遮断するものであれば、特に制限されない。
【００１３】
第１の電力線Ｌ１１は、第２のスイッチ１４の電気接点のうち第１のスイッチ１２側の一方端に接続されている。第２の電力線Ｌ１２は、第２のスイッチ１４の電気接点のうち他方端に接続されている。第３の電力線Ｌ１３は、電源１１の第１のスイッチ１２が接続された極とは反対の極と負荷１３とに接続されている。抵抗体１５は、第２のスイッチ１４の電気接点に並列に第１の電力線Ｌ１１と第２の電力線Ｌ１２との間に接続されている。なお、抵抗体１５は、例えば第２のスイッチ１４の外部に配置されるが、第２のスイッチ１４の内部において、第２のスイッチ１４の電気接点に並列に接続されていてもよい。抵抗体１５の消費電力は、例えば０．１Ｗ未満である。抵抗体１５の抵抗は、電源１１が１００Ｖの場合、例えば１５０ｋΩ以上である。また、抵抗体１５の抵抗は、１ＭΩ以上であってもよい。なお、抵抗体１５における発熱は、極力抑えることが望ましい。
【００１４】
ところで、第２のスイッチ１４が最も安定して作動できる条件は、適度な電圧、電流を開閉制御する場合であり、一般的には定格の範囲内であれば、遮断する際に生じるアークで電気接点の表面に清浄面が出ることが多く、第２のスイッチ１４の閉路時も電気接点のバウンドで生じるアークで接触が安定する。
【００１５】
一方、第１のスイッチ１２が電力を遮断した後に第２のスイッチ１４が電力を遮断した状態（すなわち、第２のスイッチ１４の電気接点が開路状態）となると、上述のアークが生じず、活性状態で電気接点を閉じることができない。そのため、わずかな異物でも影響が出やすくなる。さらに、電気回路の外部の環境にもよるが、周囲の静電気が静電誘導の現象で電気回路内部の切り離された導電部分の最小部分（電気接点ギャップ部）に帯電することによって、電気接点近傍に稀に存在する絶縁性の異物が電界によって分極し、これにクーロン力が作用して電気接点のギャップ部に挟まる原因となる。
【００１６】
そこで、本実施の形態では、第１のスイッチ１２及び第２のスイッチ１４が電力を遮断した状態において、第２のスイッチ１４の電気接点が帯電しないように、抵抗体１５が、第２のスイッチ１４の電気接点に並列に接続されている。これにより、第１のスイッチ１２が電源１１の電力を遮断し、電源１１及び第１のスイッチ１２を有する電源回路から切り離された制御用電気回路Ｃ１が無電圧状態で第２のスイッチ１４が開路状態となっても、第２のスイッチ１４の電気接点に異物が呼び込まれるのを防止することができる。
【００１７】
以上のように、本実施の形態に係る電子機器１０によれば、第２のスイッチ１４の電気接点における異物に起因する接触障害の発生を抑制することができる。
図２は、第２実施例に係る電子機器３０を示す回路図である。
【００１８】
図２に示すように、電子機器２０は、電源２１と、第１のスイッチ２２と、負荷２３と、第２のスイッチ２４と、電気素子の一例である抵抗体２５とを備える。
本第２実施例では、抵抗体２５が、第１の電力線Ｌ２１と第３の電力線Ｌ２３との間に接続されていることのみ上述の第１実施例と異なる。そのため、詳細な説明を省略する。
【００１９】
抵抗体２５は、制御用電気回路Ｃ２において、第１のスイッチ２２と第２のスイッチ２４との間の第１の電力線Ｌ２１に一方端が接続され、負荷２３と電源２１との間の第３の電力線Ｌ２３に他方端が接続されている。
図３は、第３実施例に係る電子機器３０を示す回路図である。
【００２０】
図３に示すように、電子機器３０は、電源３１と、第１のスイッチ３２と、負荷３３と、第２のスイッチ３４と、電気素子の一例である抵抗体３５と、第３のスイッチ３６とを備える。
【００２１】
本第３実施例では、第１のスイッチ３２と第３のスイッチ３６とで電源３１の両極を切断する形式となっていることのみ上述の第１実施例と異なる。そのため、詳細な説明を省略する。
【００２２】
図４は、第４実施例に係る電子機器４０を示す回路図である。
図４に示すように、電子機器４０は、電源４１と、第１のスイッチ４２と、負荷４３と、第２のスイッチ４４と、電気素子の一例である抵抗体４５と、第３のスイッチ４６とを備える。
【００２３】
本第４実施例では、第１のスイッチ４２と第３のスイッチ４６とで電源４１の両極を切断する形式となっていることのみ上述の第２実施例と異なる。そのため、詳細な説明を省略する。本第４実施形態では、第３の電力線Ｌ４３は、第３のスイッチ４６と負荷４３とに接続されている。すなわち、第３の電力線Ｌ４３は、電源４１における第１のスイッチ４２が接続される極とは別の極に接続されている。
【００２４】
図５は、第５実施例に係る電子機器５０を示す回路図である。
図５に示すように、電子機器５０は、電源５１と、第１のスイッチ５２と、負荷５３と、第２のスイッチ５４と、電気素子の一例である定電圧ダイオード５５とを備える。
【００２５】
本第５実施例では、制御用電気回路Ｃ５において、図１に示す第１実施例の抵抗体１５に代えて、定電圧ダイオード５５が配置されていることのみ上述の第１実施例と異なる。そのため、詳細な説明を省略する。
【００２６】
定電圧ダイオード５５は、直流の制御用電気回路Ｃ５において、電源５１の電圧では発熱せず、電源５１の電圧より高いツェナー電圧を有する電気素子として配置されている。
図６は、第６実施例に係る電子機器６０を示す回路図である。
【００２７】
図６に示すように、電子機器６０は、電源６１と、第１のスイッチ６２と、負荷６３と、第２のスイッチ６４と、電気素子の一例である定電圧ダイオード６５とを備える。
本第６実施例では、制御用電気回路Ｃ６において、図２に示す第２実施例の抵抗体２５に代えて、定電圧ダイオード６５が配置されていることのみ上述の第２実施例と異なる。そのため、詳細な説明を省略する。
【００２８】
定電圧ダイオード６５は、直流の制御用電気回路Ｃ６において、電源６１の電圧では発熱せず、電源６１の電圧より高いツェナー電圧を有する電気素子として配置されている。
図７は、第７実施例に係る電子機器７０を示す回路図である。
【００２９】
図７に示すように、電子機器７０は、電源７１と、第１のスイッチ７２と、負荷７３と、第２のスイッチ７４と、電気素子の一例である避雷器７５とを備える。
本第７実施例では、制御用電気回路Ｃ７において、図１に示す第１実施例の抵抗体１５に代えて、避雷器７５が配置されていることのみ上述の第１実施例と異なる。そのため、詳細な説明を省略する。
【００３０】
避雷器７５は、電源７１の電圧に適用できる例えばバリスタである。
図８は、第８実施例に係る電子機器８０を示す回路図である。
図８に示すように、電子機器８０は、電源８１と、第１のスイッチ８２と、負荷８３と、第２のスイッチ８４と、電気素子の一例である避雷器８５とを備える。
【００３１】
本第８実施例では、制御用電気回路Ｃ８において、図２に示す第２実施例の抵抗体２５に代えて、避雷器８５が配置されていることのみ上述の第２実施例と異なる。そのため、詳細な説明を省略する。
【００３２】
避雷器８５は、電源８１の電圧に適用できる例えばバリスタである。
図９は、実施の形態におけるケース１００を第１の電力線Ｌ１及び第２の電力線Ｌ２とともに示す斜視図である。
【００３３】
図１０は、実施の形態における第１のケース部材１１０を第１の電力線Ｌ１及び第２の電力線Ｌ２とともに示す平面図である。
図１１は、実施の形態における第１のケース部材１１０を示す右側面図である。
【００３４】
図１２は、実施の形態における第２のケース部材１２０を電気素子５００とともに示す底面図である。
図１３は、実施の形態における第２のケース部材１２０の内部構造を電気素子５００とともに示す右側面図である。
【００３５】
図１４は、実施の形態におけるケース１００の内部構造を第１の電力線Ｌ１、第２の電力線Ｌ２、及び電気素子５００とともに示す右側面図である。
図１５は、実施の形態における、ケース１００及び電気素子５００を示す分解斜視図である。
【００３６】
図１６は、実施の形態における第２のケース部材１２０の内部構造を電気素子５００とともに示す斜視図である。
図１７は、実施の形態における、ケース１００及び電気素子５００を、第１の電力線Ｌ１及び第２の電力線Ｌ２とともに示す分解斜視図である。
【００３７】
図９〜図１４及び図１６に示すＸ方向、Ｙ方向、及びＺ方向は、説明の便宜上、一例として付すものである。Ｘ方向、Ｙ方向、及びＺ方向は、互いに直交する。Ｘ方向は、第１の電力線Ｌ１（上述の第１の電力線Ｌ１１，Ｌ２１，Ｌ３１，Ｌ４１，Ｌ５１，Ｌ６１，Ｌ７１，Ｌ８１）及び第２の電力線Ｌ２（上述の第２の電力線Ｌ１２，Ｌ２２，Ｌ３２，Ｌ４２，Ｌ５２，Ｌ６２，Ｌ７２，Ｌ８２）の図９及び図１７に一点鎖線で示す軸中心の方向である。Ｙ方向は、第１の電力線Ｌ１及び第２の電力線Ｌ２の配列方向である。Ｚ方向は、ケース１００の第１のケース部材１１０と第２のケース部材１２０とが嵌め合わされる方向である。なお、ここでは、第２の電力線Ｌ２を例に説明するが、第２の電力線の代わりに第３の電力線（上述の第３の電力線Ｌ１３，Ｌ２３，Ｌ３３，Ｌ４３，Ｌ５３，Ｌ６３，Ｌ７３，Ｌ８３）が配置されていてもよい。
【００３８】
ケース１００は、互いに嵌め合わされる第１のケース部材１１０及び第２のケース部材１２０を有する。ケース１００は、例えば絶縁性の合成樹脂からなる。第１のケース部材１１０及び第２のケース部材１２０のそれぞれは、Ｘ方向、Ｙ方向、又はＺ方向に各辺が平行な直方体形状に近い形状を呈し、第１のケース部材１１０はＺ方向前方に開口し、第２のケース部材１２０はＺ方向後方に開口する。
【００３９】
図９、図１０、及び図１７に示すように、第１の電力線Ｌ１は、上述の第２のスイッチ１４，２４，３４，４４，５４，６４，７４，８４の電気接点における第１のスイッチ１２，２２，３２，４２，５２，６２，７２，８２側の一方端に接続されている。第１の電力線Ｌ１のうち少なくともケース１００が配置される領域には、外周に絶縁性の被覆部Ｌ１ａが設けられている。
【００４０】
第２の電力線Ｌ２は、上述の第２のスイッチ第２のスイッチ１４，２４，３４，４４，５４，６４，７４，８４の電気接点における他方端（すなわち、第１のスイッチ１２，２２，３２，４２，５２，６２，７２，８２とは反対側）に接続されている。第２の電力線Ｌ２のうち少なくともケース１００が配置される領域には、外周に絶縁性の被覆部Ｌ２ａが設けられている。
【００４１】
図１２〜図１７に示す電気素子５００は、例えば、上述の抵抗体１５，２５，３５，４５、定電圧ダイオード５５，６５、避雷器７５，８５などである。電気素子５００は、電気素子本体５０１と、この電気素子本体５０１から突出し、第１の電力線Ｌ１に接続される第１の端子５０２と、電気素子本体５０１から突出し、第２の電力線Ｌ２に接続される第２の端子５０３とを有する。また、電気素子５００は、ケース１００に収容されている。
【００４２】
第１の端子５０２は、例えば、電気素子本体５０１からＸ方向後方に突出し、その後Ｙ方向前方に向かって垂直に屈曲し、その後Ｚ方向後方に向かって垂直に屈曲する。第１の端子５０２は、電気素子本体５０１とは反対側の先端、すなわち、上記のＺ方向後方に向かって延びる部分に第１の先細り部５０２ａを有する。
【００４３】
第２の端子５０３は、例えば、電気素子本体５０１からＸ方向前方に突出し、その後Ｙ方向後方に向かって垂直に屈曲し、その後Ｚ方向後方に向かって垂直に屈曲する。第２の端子５０３は、電気素子本体５０１とは反対側の先端、すなわち、上記のＺ方向後方に向かって延びる部分に第２の先細り部５０３ａを有する。
【００４４】
図１１、図１４、及び図１５に示すように、第１のケース部材１１０は、第１の電力線Ｌ１の被覆部Ｌ１ａを保持する第１の電力線保持部１１０ａと、第２の電力線Ｌ２の被覆部Ｌ２ａを保持する第２の電力線保持部１１０ｂとを有する。また、第１のケース部材１１０は、第１の電力線Ｌ１と第２の電力線Ｌ２とを仕切るように、Ｚ方向前方に突出する例えば平面板状の仕切り壁１１０ｃを有する。第１の電力線保持部１１０ａは、例えば第１の電力線Ｌ１の外周の半分を覆うように半円状の断面を有する凹部である。また、第２の電力線保持部１１０ｂは、例えば第２の電力線Ｌ２の外周の半分を覆うように半円状の断面を有する凹部である。これらの凹部は、第１のケース部材１１０のＸ方向両端の面のみに設けられていてもよい。
【００４５】
また、図１０、図１１、及び図１５に示すように、第１のケース部材１１０のＹ方向の後方の面には、Ｙ方向後方に突出するロック用爪１１０ｄ，１１０ｅが設けられている。また、第１のケース部材１１０のＹ方向の前方の面には、Ｙ方向前方に突出するロック用爪１１０ｆ，１１０ｇが設けられている。
【００４６】
図１２、図１５、及び図１６に示すように、第２のケース部材１２０は、電気素子本体５０１を保持する電気素子本体保持部１２０ａと、第１の端子５０２を保持する第１の端子保持部１２０ｂと、第２の端子５０３を保持する第２の端子保持部１２０ｃとを有する。電気素子本体保持部１２０ａは、例えば、電気素子本体５０１を挟んで一対配置され、Ｚ方向後方に突出する例えば平面板状の部分である。第１の端子保持部１２０ｂは、例えば、第１の端子５０２の少なくとも一部を挟み込むように、Ｚ方向後方に突出する部分である。また、第２の端子保持部１２０ｃは、例えば、第２の端子５０３の少なくとも一部を挟み込むようにＺ方向後方に突出する部分である。なお、図１６に示すように、第２のケース部材１２０には、第１のケース部材１１０と同様に、Ｘ方向両端の面に、第１の電力線Ｌ１又は第２の電力線Ｌ２の外周の半分を覆うように半円状の断面を有する凹部が設けられている。
【００４７】
図９及び図１５〜図１７に示すように、第２のケース部材１２０のＹ方向の後方の面には、ロック用爪１１０ｄ，１１０ｅが挿入されるロック用孔１２０ｄ，１２０ｅが設けられている。また、第２のケース部材１２０のＹ方向の前方の面には、ロック用爪１１０ｆ，１１０ｇが挿入されるロック用孔１２０ｆ，１２０ｇが設けられている。第１のケース部材１１０と第２のケース部材１２０とは、ロック用爪１１０ｄ，１１０ｅ，１１０ｆ，１１０ｇがロック用孔１２０ｄ，１２０ｅ，１２０ｆ，１２０ｇに挿入されることによってロックされる。
【００４８】
図１５及び図１７に示すように、第１のケース部材１１０と第２のケース部材１２０とを嵌め合わせる際には、まず、第２のケース部材１２０に電気素子５００が保持され、第１のケース部材１１０に第１の電力線Ｌ１及び第２の電力線Ｌ２が保持される。その後、第１のケース部材１１０と第２のケース部材１２０とが互いに嵌め合わされることによって、第１の端子５０２の第１の先細り部５０２ａが第１の電力線Ｌ１の被覆部Ｌ１ａを貫通し、第２の端子５０３の第２の先細り部５０３ａが第２の電力線Ｌ２の被覆部Ｌ２ａを貫通する。これにより、電気素子５００は、第１の端子５０２において第１の電力線Ｌ１に接続され、第２の端子５０３において第２の電力線Ｌ２に接続される。
【００４９】
以上のように、互いに嵌め合わされる第１のケース部材１１０及び第２のケース部材１２０を有するケース１００を用い、電気素子５００の第１の端子５０２の第１の先細り部５０２ａと第１の電力線Ｌ１とを接続するとともに、第２の端子５０３の第２の先細り部５０３ａと第２の電力線Ｌ２（又は第３の電力線）とを接続することによって、簡単に、電気素子５００を第１の電力線Ｌ１と第２の電力線Ｌ２との間に第２のスイッチ１４，２４，３４，４４，５４，６４，７４，８４の電気接点に並列に接続することができる（又は第１の電力線Ｌ１と第３の電力線との間に接続することができる）。
【００５０】
また、第１のケース部材１００が第１の電力線保持部１１０ａ及び第２の電力線保持部１１０ｂを有し、第２のケース部材１２０が電気素子本体保持部１２０ａ、第１の端子保持部１２０ｂ、及び第２の端子保持部１２０ｃを有することによって、簡単かつ確実に、電気素子５００を第２のスイッチ１４，２４，３４，４４，５４，６４，７４，８４の電気接点に並列に接続することができる。
【００５１】
以上、本発明の一実施の形態を説明したが、本発明は特許請求の範囲に記載された発明とその均等の範囲に含まれる。以下に、本願の出願当初の特許請求の範囲に記載された発明を付記する。
【００５２】
［付記１］
電源と、
少なくとも前記電源の一方の極に接続され、前記電源から負荷に供給される電力を遮断する第１のスイッチと、
前記第１のスイッチよりも前記負荷側に配置され、前記電源から前記負荷に供給される電力を遮断する第２のスイッチと、
前記第２のスイッチの電気接点のうち前記第１のスイッチ側の一方端に接続された第１の電力線と、
前記第２のスイッチの前記電気接点のうち他方端に接続された第２の電力線と、
前記電源の他方の極に接続された第３の電力線と、
前記第１のスイッチ及び前記第２のスイッチが電力を遮断した状態において、前記第２のスイッチの前記電気接点が帯電しないように、前記第１の電力線と前記第２の電力線との間に前記電気接点に並列に接続されているか、又は、前記第１の電力線と前記第３の電力線との間に接続されている電気素子と
を備えることを特徴とする電子機器。
【００５３】
［付記２］
前記電気素子は、抵抗体であり、
前記抵抗体は、消費電力が０．１Ｗ未満である
ことを特徴とする付記１記載の電子機器。
【００５４】
［付記３］
前記電気素子には、直流電流が流れ、
前記電気素子は、定電圧ダイオードである
ことを特徴とする付記１記載の電子機器。
【００５５】
［付記４］
前記電気素子は、避雷器である
ことを特徴とする付記１記載の電子機器。
【００５６】
［付記５］
互いに嵌め合わされる第１のケース部材及び第２のケース部材を有するケースと、を備え、
前記電気素子は、電気素子本体と、当該電気素子本体から突出し前記第１の電力線に接続される第１の端子と、前記電気素子本体から突出し前記第２の電力線又は前記第３の電力線に接続される第２の端子とを有し、
前記電気素子は、前記ケースに収容され、
前記第１の端子は、前記電気素子本体とは反対側の先端に第１の先細り部を有し、
前記第２の端子は、前記電気素子本体とは反対側の先端に第２の先細り部を有し、
前記電気素子は、前記第１のケース部材と前記第２のケース部材とが互いに嵌め合わされた状態で、前記第１の先細り部が前記第１の電力線の被覆部を貫通するとともに前記第２の先細り部が前記第２の電力線又は前記第３の電力線の被覆部を貫通するように配置されている
ことを特徴とする付記１から４のいずれか記載の電子機器。
【００５７】
［付記６］
前記第１のケース部材は、前記第１の電力線の前記被覆部を保持する第１の電力線保持部と、前記第２の電力線又は前記第３の電力線の前記被覆部を保持する第２の電力線保持部とを有し、
前記第２のケース部材は、前記電気素子本体を保持する電気素子本体保持部と、前記第１の端子を保持する第１の端子保持部と、前記第２の端子を保持する第２の端子保持部とを有する
ことを特徴とする付記５記載の電子機器。
【符号の説明】
【００５８】
１０，２０，３０，４０，５０，６０，７０，８０    電子機器
１１，２１，３１，４１，５１，６１，７１，８１    電源
１２，２２，３２，４２，５２，６２，７２，８２    第１のスイッチ
１３，２３，３３，４３，５３，６３，７３，８３    負荷
１４，２４，３４，４４，５４，６４，７４，８４    第２のスイッチ
１５，２５，３５，４５    抵抗体
３６，４６    第３のスイッチ
５５，６５    定電圧ダイオード
７５，８５    避雷器
１００    ケース
１１０    第１のケース部材
１１０ａ    第１の電力線保持部
１１０ｂ    第２の電力線保持部
１１０ｃ    仕切り壁
１１０ｄ，１１０ｅ，１１０ｆ，１１０ｇ    ロック用爪
１２０    第２のケース部材
１２０ａ    電気素子本体保持部
１２０ｂ    第１の端子保持部
１２０ｃ    第２の端子保持部
１２０ｄ，１２０ｅ，１２０ｆ，１２０ｇ    ロック用孔
５００    電気素子
５０１    電気素子本体
５０２    第１の端子
５０２ａ    第１の先細り部
５０３    第２の端子
５０３ａ    第２の先細り部
Ｃ１〜Ｃ８    制御用電気回路
Ｌ１，Ｌ１１，Ｌ２１，Ｌ３１，Ｌ４１，Ｌ５１，Ｌ６１，Ｌ７１，Ｌ８１    第１の電力線
Ｌ１ａ    被覆部
Ｌ２，Ｌ１２，Ｌ２２，Ｌ３２，Ｌ４２，Ｌ５２，Ｌ６２，Ｌ７２，Ｌ８２    第２の電力線
Ｌ２ａ    被覆部
Ｌ１３，Ｌ２３，Ｌ３３，Ｌ４３，Ｌ５３，Ｌ６３，Ｌ７３，Ｌ８３    第３の電力線
【図１】
2020003596.tif 000003
【図２】
2020003596.tif 000004
【図３】
2020003596.tif 000005
【図４】
2020003596.tif 000006
【図５】
2020003596.tif 000007
【図６】
2020003596.tif 000008
【図７】
2020003596.tif 000009
【図８】
2020003596.tif 000010
【図９】
2020003596.tif 000011
【図１０】
2020003596.tif 000012
【図１１】
2020003596.tif 000013
【図１２】
2020003596.tif 000014
【図１３】
2020003596.tif 000015
【図１４】
2020003596.tif 000016
【図１５】
2020003596.tif 000017
【図１６】
2020003596.tif 000018
【図１７】
2020003596.tif 000019
【国際調査報告】
2020003596.tif 000020
2020003596.tif 000021
2020003596.tif 000022